(57)【要約】【課題】両面に金属膜を有したフィルムを用いたフィルムコンデンサにおいて、各フィルムの電極同士の位置関係を一々合わせて捲回しなくても、自己保安機構を実現できるようにする。【解決手段】両面に金属膜（23）を有し、一方の面の金属膜（23）が、等間隔に並んだ複数の矩形状の第１電極（21b）を形成する第１金属化フィルム（21）と、両面に金属膜（23）を有し、一方の面の金属膜（23）が、等間隔に並んだ複数の矩形状の第２電極（22b）を形成する第２金属化フィルム（22）とを設ける。第１及び第２電極（21b,22b）の一方には、メタリコン電極（11）と電気的に接続されるヒューズ（21e）を金属膜（23）によって形成する。そして、互いに隣り合った第２電極（22b）の間隔（D2）は、第１電極（21b）の並び方向の長さ（W1）よりも大きくする。【選択図】図５
2011003836.tif 000002
【特許請求の範囲】
【請求項１】
金属化フィルム（21,22）が捲回されて、両側端にメタリコン電極（11）が設けられたフィルムコンデンサであって、
両面に金属膜（23）を有し、一方の面の金属膜（23）が、等間隔に並んだ複数の矩形状の第１電極（21b）を形成する第１金属化フィルム（21）と、
両面に金属膜（23）を有し、一方の面の金属膜（23）が、等間隔に並んだ複数の矩形状の第２電極（22b）を形成する第２金属化フィルム（22）と、
を備え、
前記第１及び第２電極（21b,22b）の一方には、前記メタリコン電極（11）と電気的に接続されるヒューズ（21e）が前記金属膜（23）によって形成され、
互いに隣り合った第２電極（22b）の間隔（D2）は、前記第１電極（21b）の並び方向の長さ（W1）よりも大きく、
前記第１金属化フィルム（21）と前記第２金属化フィルム（22）とは、前記第１及び第２電極（21b,22b）のそれぞれの並び方向が揃い、且つ前記第１電極（21b）側の面と前記第２電極（22b）側の面とが互いに合わさるように重ね合わせられて捲回されていることを特徴とするフィルムコンデンサ。
【請求項２】
請求項１のフィルムコンデンサにおいて、
前記第２電極（22b）の並び方向の長さ（W2）は、互いに隣り合った第１電極（21b）の間隔をＤ１、前記第１電極（21b）の並び方向の長さをＷ１とした場合に、（２×Ｄ１＋Ｗ１）よりも小さいことを特徴とするフィルムコンデンサ。
【請求項３】
請求項１又は請求項２のフィルムコンデンサにおいて、
前記第１及び第２電極（21b,22b）は、蒸着によってそれぞれ形成されていることを特徴とするフィルムコンデンサ。
【発明の詳細な説明】
【技術分野】
【０００１】
本発明は、金属膜を有したフィルムを用いたフィルムコンデンサに関するものである。
【背景技術】
【０００２】
帯状のフィルムの片面に金属膜が蒸着された金属化フィルム（片面蒸着フィルム）を巻芯上に捲回してなるフィルムコンデンサが知られている。このようなフィルムコンデンサは、電子機器や電気機器等において、特に安定した電気特性を要する回路に多く用いられている。また、近年のフィルムコンデンサは、電解コンデンサと比較して低損失であり、信頼性にも優れているため、空調機やハイブリッド自動車等のインバータ回路の平滑コンデンサとしても利用されている。
【０００３】
このようなフィルムコンデンサでは、保安性を確保する観点から、いわゆる自己保安機構が設けられることがある。ここで言う自己保安機構は、フィルムコンデンサが何らかの理由で短絡するなどして過大な電流が流れた際に、フィルムコンデンサ全体が破損に至るのを防止する機構である。
【０００４】
このような自己保安機構を有したフィルムコンデンサとしては、一例として特許文献１に記載されたものがある。このフィルムコンデンサは、特許文献１の第１図に示されているように、金属化フィルムに対して、該フィルムの長さ方向に複数個の島状に蒸着空白部分で絶縁して分離するように電極（分割電極）を設け、さらに、それぞれの電極とメタリコン電極との間に絶縁部を設けることによって幅狭小部であるパスを形成し、そのパスをヒューズとして使用している。すなわち、この例では、一つの分割電極が許容する電流を制限してフィルムコンデンサに保安機能を付与するもので、上記のパスの部分がヒューズの役割を果たすことによって、絶縁破壊した分割電極のみを切り離すことができ、コンデンサ全体の短絡状態が回避される。
【先行技術文献】
【特許文献】
【０００５】
【特許文献１】特開平７-４５４６６号公報
【発明の概要】
【発明が解決しようとする課題】
【０００６】
ところで、両面に金属膜を有したフィルム（両面蒸着フィルム）を捲回してフィルムコンデンサを形成した場合に、上記の自己保安機構を実現するには、両面蒸着フィルムを長さ方向に分割して電極（分割電極）を構成し、２枚の両面蒸着フィルムの分割電極同士を向かい合わせて、向かい合った電極同士が互いにずれないように捲回する必要があると考えられる。向かい合った分割電極の位置がずれると、一方の両面蒸着フィルムにおける分割電極が、もう一方の両面蒸着フィルムにおける分割電極間の橋渡しの役目となって、分割されていない連続蒸着膜を有するフィルムコンデンサと電気的に等価な構造になってしまうからである。
【０００７】
しかしながら、製造時に２枚の両面蒸着フィルムの電極同士の位置関係がずれないように重ね合わせて捲回するのは容易ではない。
【０００８】
本発明は上記の問題に着目してなされたものであり、両面に金属膜を有したフィルムを用いたフィルムコンデンサにおいて、各フィルムの電極同士の位置関係を一々合わせて捲回しなくても、自己保安機構を実現できるようにすることを目的としている。
【課題を解決するための手段】
【０００９】
上記の課題を解決するため、第１の発明は、
金属化フィルム（21,22）が捲回されて、両側端にメタリコン電極（11）が設けられたフィルムコンデンサであって、
両面に金属膜（23）を有し、一方の面の金属膜（23）が、等間隔に並んだ複数の矩形状の第１電極（21b）を形成する第１金属化フィルム（21）と、
両面に金属膜（23）を有し、一方の面の金属膜（23）が、等間隔に並んだ複数の矩形状の第２電極（22b）を形成する第２金属化フィルム（22）と、
を備え、
前記第１及び第２電極（21b,22b）の一方には、前記メタリコン電極（11）と電気的に接続されるヒューズ（21e）が前記金属膜（23）によって形成され、
互いに隣り合った第２電極（22b）の間隔（D2）は、前記第１電極（21b）の並び方向の長さ（W1）よりも大きく、
前記第１金属化フィルム（21）と前記第２金属化フィルム（22）とは、前記第１及び第２電極（21b,22b）のそれぞれの並び方向が揃い、且つ前記第１電極（21b）側の面と前記第２電極（22b）側の面とが互いに合わさるように重ね合わせられて捲回されていることを特徴とする。
【００１０】
この構成では、互いに隣り合った第２電極（22b）の間隔（D2）が、前記第１電極（21b）の並び方向の長さ（W1）よりも大きいので、第１電極（21b）と第２電極（22b）との位置関係を一々合わせなくても、何れの第１電極（21b）も、互いに並んだ２つの第２電極（22b）間を橋渡ししないようにできる。すなわち、このフィルムコンデンサでは、一群の第１電極（21b）同士(例えば２つの第１電極（21b）)が第２電極（22b）によって橋渡しされて電気的に繋がることがあっても、その一群の第１電極（21b）の両端の第１電極（21b）は、橋渡しをしている第２電極（22b）の隣の第２電極（22b）に重なることはない。これにより、前記一群の第１電極（21b）に繋がるヒューズ（21e）が溶断すれば、この一群の第１電極（21b）(さらには、これらを橋渡ししていた第２電極（22b）)は、他の第１電極（21b）とは電気的に遮断される。この場合、遮断された一群の第１電極（21b）とこれらを橋渡ししていた第２電極（22b）とは、コンデンサの電極としては機能できなくなるが、その他の第１及び第２電極（21b,22b）は、依然としてコンデンサの電極として機能することができる。
【００１１】
また、第２の発明は、
第１の発明のフィルムコンデンサにおいて、
前記第２電極（22b）の並び方向の長さ（W2）は、互いに隣り合った第１電極（21b）の間隔をＤ１、前記第１電極（21b）の並び方向の長さをＷ１とした場合に、（２×Ｄ１＋Ｗ１）よりも小さいことを特徴とする。
【００１２】
この構成により、第２電極（22b）が２つ以上の第１電極（21b）に重ならないようにできる。すなわち、１箇所の短絡によって機能を失う第１電極（21b）の数を２つ以下にすることが可能になる。
【００１３】
また、第３の発明は、
第１又は第２の発明のフィルムコンデンサにおいて、
前記第１及び第２電極（21b,22b）は、蒸着によってそれぞれ形成されていることを特徴とする。
【００１４】
この構成により、いわゆる両面蒸着フィルムを用いたフィルムコンデンサにおいて、自己保安機構が実現される。
【発明の効果】
【００１５】
第１の発明によれば、第１電極（21b）と第２電極（22b）の位置関係を一々合わせて捲回しなくても、自己保安機構を実現することが可能になる。
【００１６】
また、第２の発明によれば、何れの第２電極（22b）も、２つ以上の第１電極（21b）に重ならないようにできるので、１箇所の短絡によって機能を失う第１電極（21b）の数を２つ以下にすることが可能になる。
【００１７】
また、第３の発明によれば、両面蒸着フィルムを用いたので、それぞれの電極（21b,22b）やヒューズ（21e）を容易に形成することが可能になる。
【図面の簡単な説明】
【００１８】
【図１】本発明の実施形態に係るフィルムコンデンサの概略構成を示す縦断面図である。
【図２】２枚の金属化フィルムを重ね合わせる直前の状態を示す斜視図である。
【図３】２枚の金属化フィルムを重ね合わせた状態を示す断面図である。
【図４】重ね合わせた金属化フィルムの長手方向の断面図であり、第１電極と第２電極とが互いにずれて重ね合わせられた状態を模式的に示す図である。
【図５】図４に対応した平面図である。
【図６】他の実施形態に係る金属化フィルムの平面図である。
【発明を実施するための形態】
【００１９】
以下、本発明の実施形態について図面を参照しながら説明する。なお、以下の実施形態は、本質的に好ましい例示であって、本発明、その適用物、あるいはその用途の範囲を制限することを意図するものではない。
【００２０】
《フィルムコンデンサの全体構成》
図１は、本発明の実施形態に係るフィルムコンデンサ（10）の概略構成を示す縦断面図である。このフィルムコンデンサ（10）は、例えばインバータ回路とコンバータ回路との間の平滑コンデンサ等に用いられる。このフィルムコンデンサ（10）は、図１に示すように、コンデンサ本体（20）、メタリコン電極（11）、外部端子（12）、絶縁カバー（13）、及び封止樹脂（14）を備えている。
【００２１】
〈コンデンサ本体（20）の構成〉
コンデンサ本体（20）は、第１金属化フィルム（21）、第２金属化フィルム（22）、及び巻芯（25）を備えている。そして、第１金属化フィルム（21）と第２金属化フィルム（22）とは、厚み方向に重ね合わされて巻芯（25）の外周に捲回され、このコンデンサ本体（20）は略円柱状に形成されている。そして、コンデンサ本体（20）の両側端にメタリコン電極（11）が設けられている。図２は、２枚の金属化フィルムを重ね合わせる直前の状態を示す斜視図である。また、図３は、２枚の金属化フィルムを重ね合わせた状態を示す断面図である。
【００２２】
-第１金属化フィルム（21）-
第１金属化フィルム（21）は、帯状の部材であり、両面に金属膜（23）を有した第１フィルム体（21a）により形成されている。この第１フィルム体（21a）には、例えばＰＰ（polypropylene）、ＰＥＴ（Polyethylene Terephthalate）、ＰＶＤＦ（PolyVinylidene DiFluoride）等の誘電体フィルムからなる帯状のフィルム体を採用できる。この第１金属化フィルム（21）は、図２に示すように、一方の面の金属膜（23）によって第１電極（21b）が形成され、もう一方の面の金属膜（23）によって第１対向電極（21c）が形成されている。以下では説明の便宜上、第１フィルム体（21a）の第１電極（21b）側の面を表面（或いは表側）と呼び、第１対向電極（21c）側の面を裏面（或いは裏側）と呼ぶことにする。
【００２３】
この第１金属化フィルム（21）では、複数の第１電極（21b）が形成されている。それぞれの第１電極（21b）は、矩形状（この例では長方形）であり、第１フィルム体（21a）の長手方向に、等間隔に並んでいる。また、これらの第１電極（21b）は、図２に示すように、第１フィルム体（21a）の両側の縁から所定の距離だけ離間している。以下では、離間している部分をサイドマージン部と呼ぶことにする（図２を参照）。
【００２４】
また、第１フィルム体（21a）の表面には、メタリコン電極（11）と接続されるメタリコン接続部（21d）が、前記金属膜（23）によって形成されている。メタリコン接続部（21d）は、第１フィルム体（21a）の縁に沿った帯状の形態を有し、第１電極（21b）からは所定の距離だけ離間している。
【００２５】
また、それぞれの第１電極（21b）とメタリコン接続部（21d）との間には、これらを互いに接続するヒューズ（21e）が、第１フィルム体（21a）上の金属膜（23）により形成されている。これらのヒューズ（21e）は、フィルムコンデンサ（10）の使用中などに、第１電極（21b）が短絡した際に溶断するように、大きさが定められている。
【００２６】
一方、第１対向電極（21c）は、前記第１電極（21b）及び後述の第２電極（22b）と対向する電極であり、第１及び第２電極（21b,22b）とともにコンデンサを構成する。この第１対向電極（21c）は、第１金属化フィルム（21）の長手方向に連続した帯状の形態を有している。なお、第１フィルム体（21a）の裏面には、表面のメタリコン接続部（21d）に対向する側の縁に沿って、金属が設けられていない部分（サイドマージン部と呼ぶ）が帯状に形成されている（図２を参照）。
【００２７】
-第２金属化フィルム（22）-
第２金属化フィルム（22）も、前記第１金属化フィルム（21）と同様の帯状の部材であり、両面に金属膜（23）を有した第２フィルム体（22a）により形成されている。この第２フィルム体（22a）にも、例えばＰＰ、ＰＥＴ、ＰＶＤＦ等の誘電体フィルムからなる帯状のフィルム体を採用できる。この第２金属化フィルム（22）は、図２に示すように、一方の面の金属膜（23）によって第２電極（22b）が形成され、もう一方の面の金属膜（23）によって第２対向電極（22c）が形成されている。以下では説明の便宜上、第２フィルム体（22a）の第２電極（22b）側の面を表面（或いは表側）と呼び、第２対向電極（22c）側の面を裏面（或いは裏側）と呼ぶことにする。
【００２８】
この第２金属化フィルム（22）では、複数の第２電極（22b）が形成されている。それぞれの第２電極（22b）は、矩形状（この例では長方形）であり、第２フィルム体（22a）の長手方向に、等間隔に並んでいる。また、これらの第２電極（22b）は、図２に示すように、第２フィルム体（22a）の両側の縁から所定の距離だけ離間している。以下では、離間している部分をサイドマージン部と呼ぶことにする（図２を参照）。
【００２９】
そして、本実施形態では、互いに隣り合った第２電極（22b）の間隔（D2）は、第１電極（21b）の並び方向（第１金属化フィルム（21）の長手方向）の長さ（W1）よりも大きい。
【００３０】
一方、第２対向電極（22c）は、第１及び第２電極（21b,22b）と対向する電極であり、これらの電極（21b,22b）とともにコンデンサを構成する。この第２対向電極（22c）は、第２金属化フィルム（22）の長手方向に連続した帯状の形態を有している。なお、第２フィルム体（22a）の裏面には、該第２フィルム体（22a）の一方の縁に沿って、金属が設けられていない部分（サイドマージン部と呼ぶ）が帯状に形成されている（図２を参照）。
【００３１】
この第２金属化フィルム（22）は、後述するように、表面（第２電極（22b）側の面）が、第１金属化フィルム（21）の表面（第１電極（21b）側の面）と互いに合わさるように重ね合わせられるのであるが、このように両者を重ね合わせる際には、各金属化フィルム（21,22）の裏面（対向電極（21c,22c）がある側）のサイドマージン部が同じ側方（図２の例では右側）に揃えられる。なお、第１及び第２電極（21b,22b）の幅や各マージン部などの大きさは、このように第１及び第２金属化フィルム（21,22）の両者を重ね合わせた際に、ヒューズ（21e）が第２電極（22b）に接触しないように定められている。
【００３２】
-第１及び第２金属化フィルム（21,22）の製造-
第１及び第２金属化フィルム（21,22）は、アルミニウム等の金属を蒸着させて製造できる。その場合、サイドマージン部や各電極（21b,22b）間の隙間等のように金属を未蒸着としたい部分に、予めマスキングを行ってから金属を蒸着させることによって、第１及び第２電極（21b,22b）、メタリコン接続部（21d）、ヒューズ（21e）を形成することができる。
【００３３】
-巻芯（25）-
巻芯（25）は、図１に示すように、円筒状の樹脂部材で構成されている。なお、この円筒状の巻芯（25）の内部には、金属製の芯部を設けてもよい。この場合、芯部を、メタリコン電極（11）を介して外部端子（12）に接続すれば、第１及び第２金属化フィルム（21,22）で発生した熱を、芯部からメタリコン電極（11）及び外部端子（12）を介して外部へ放出することができる。
【００３４】
〈メタリコン電極（11）〉
メタリコン電極（11）は、コンデンサ本体（20）の両端部にそれぞれ設けられた電極である。このメタリコン電極（11）は、それぞれ、コンデンサ本体（20）の軸方向端部に金属を溶射することによって形成されていて、コンデンサ本体（20）の軸方向端部において、該端部にまで延びている金属膜（23）と電気的に導通している。
【００３５】
〈外部端子（12）〉
外部端子（12）は、その基端部が巻芯（25）に対応する位置で、メタリコン電極（11）と電気的に接続されている。これらの外部端子（12）は、メタリコン電極（11）の径方向外方に向かって延びて、その先端部が封止樹脂（14）から外方に突出している。これらの外部端子（12）は、図１に示すように、例えば基板（26）等に対して半田付けなどによって接続される。
【００３６】
〈絶縁カバー（13）〉
絶縁カバー（13）は、樹脂材料からなるシート状の部材を、円筒状のコンデンサ本体（20）の外周面に沿うように丸めて円筒状にしたものである。この絶縁カバー（13）は、コンデンサ本体（20）の外周面全体を覆うように設けられている。なお、この絶縁カバー（13）は必須ではなく、例えば、該コンデンサ本体（20）を封止樹脂（14）で直接、封止するような構成であってもよい。
【００３７】
〈封止樹脂（14）〉
封止樹脂（14）は、絶縁カバー（13）の外周側、メタリコン電極（11）及び外部端子（12）の基端部を封止するように設けられている。すなわち、この封止樹脂（14）は、外部端子（12）の先端側を除いて、フィルムコンデンサ（10）の構成部品全体を覆うように設けられている。
【００３８】
《コンデンサ本体（20）の製造》
コンデンサ本体（20）は、巻芯（25）に対して  第１金属化フィルム（21）と第２金属化フィルム（22）とを捲回して製造する。第１金属化フィルム（21）と第２金属化フィルム（22）の捲回には、例えば、従来からある、片面蒸着フィルムを用いたフィルムコンデンサ用の製造装置（捲回機）を利用することができる。この場合、第１金属化フィルム（21）と第２金属化フィルム（22）とは、第１及び第２電極（21b,22b）のそれぞれの並び方向が揃い、且つ第１電極（21b）側の面（表面）と第２電極（22b）側の面（表面）とが互いに合わさるように重ね合わせて捲回する。この場合従来のフィルムコンデンサであれば、自己保安機構を実現するために、２枚の金属化フィルムを、それぞれの電極(分割電極)がちょうど重なり合うように捲回する必要があった。しかしながら、本実施形態では、これらの電極（21b,22b）の位置関係を一々合わせていない。
【００３９】
図４は、本実施形態における、重ね合わせた２つの金属化フィルム（21,22）の長手方向の断面図であり、この例では第１電極（21b）と第２電極（22b）とが互いにずれて重ね合わせられた状態を模式的に示している。図４では、それぞれの第１電極（21b）等を識別するために符号に枝番を付してある（例えば第１電極（21b-1）、第１電極（21b-2）…）。この例では、１つの第２電極（22b-1）が２つの第１電極（21b）を橋渡ししている箇所がある。
【００４０】
《コンデンサ本体（20）における自己保安機構》
図５は、図４に対応した平面図であり、説明の便宜上、第１金属化フィルム（21）と第２金属化フィルム（22）とを上下に分けて記載してある。この図５でも、それぞれの第１電極（21b）等を識別するために、図４と同様に符号に枝番を付してある。
【００４１】
この例では、第１金属化フィルム（21）と第２金属化フィルム（22）とを捲回した状態で、第２電極（22b-1）が、第１電極（21b-1）と第１電極（21b-2）とに重なっている。すなわち、第２電極（22b-1）は、第１電極（21b-1）と第１電極（21b-2）とを導通させている。同様に、第２電極（22b-2）は、第１電極（21b-3）と第１電極（21b-4）とに重なって、該第２電極（22b-2）は、この２つの第１電極（21b）を導通させている。
【００４２】
しかしながら、このコンデンサ本体（20）では、Ｄ２＞Ｗ１であるので、何れの第１電極（21b）も、互いに並んだ２つの第２電極（22b）間を橋渡しすることはない。図５の例でも、第１電極（21b-2）と第２電極（22b-1）とは重なっているが、この第１電極（21b-2）が第２電極（22b-2）に重なることはない。同様に、第１電極（21b-4）と第２電極（22b-2）とは重なっているが、この第１電極（21b-4）が第２電極（22b-3）に重なることはない。
【００４３】
この例において、フィルムコンデンサ（10）の使用中に、例えば、第１電極（21b-1）が第１対向電極（21c）と短絡したとすると、第１電極（21b-1）に繋がるヒューズ（21e）、及び第１電極（21b-2）に繋がるヒューズ（21e）が溶断する。そうすると、第１電極（21b-1）及び第１電極（21b-2）は、メタリコン電極（11）（すなわち外部端子（12））と電気的に切り離される。すなわち、フィルムコンデンサ（10）における短絡状態が解消されるのである。この場合、第１電極（21b-1）、第１電極（21b-2）、及び第２電極（22b-1）は、コンデンサの電極としては機能できなくなるが、その他の第１及び第２電極（21b,22b）は、依然としてコンデンサの電極として機能することができる。
【００４４】
《本実施形態における効果》
以上のように、このフィルムコンデンサ（10）では、互いに隣り合った第２電極（22b）の間隔（D2）が、前記第１電極（21b）の並び方向の長さ（W1）よりも大きいので、何れの第１電極（21b）も、互いに並んだ２つの第２電極（22b）間を橋渡しすることはない。すなわち、このフィルムコンデンサ（10）では、一群の第１電極（21b）同士(上記の例では、第１電極（21b-1）と第１電極（21b-2）の一群や、第１電極（21b-3）と第１電極（21b-4）の一群)が第２電極（22b）によって橋渡しされて電気的に繋がっていても、その一群の第１電極（21b）の両端の第１電極（21b）は、橋渡しをしている第２電極（22b）の隣の第２電極（22b）に重なることはない。これにより、一群の第１電極（21b）に繋がるヒューズ（21e）が溶断すれば、この一群の第１電極（21b）(さらには、これらの第１電極（21b）を橋渡ししていた第２電極（22b）)は、他の第１電極（21b）とは電気的に遮断される。この場合、遮断された一群の第１電極（21b）とこれらを橋渡ししていた第２電極（22b）とは、コンデンサの電極としては機能できなくなるが、その他の第１及び第２電極（21b,22b）は、依然としてコンデンサの電極として機能することができる。すなわち、本実施形態によれば、第１電極（21b）と第２電極（22b）の位置関係を一々合わせて捲回しなくても、自己保安機構を実現することが可能になる。
【００４５】
なお、両面蒸着フィルムを用いたコンデンサで自己保安機構を実現するには、例えば、自己保安機構を発揮する同一電極となる２つの両面蒸着フィルムの分割金属化面の間に絶縁体を介在させて、２面の同極蒸着面を分離することでヒューズ機構を実現することも考えられる。しかし、このような構造だと、フィルムコンデンサのサイズが増大するうえ、従来からある、片面蒸着フィルムを用いたフィルムコンデンサ用の製造装置（捲回機）を利用して製造することができない。
【００４６】
これに対し、本実施形態では、このようにフィルムコンデンサのサイズを増大させることがない。また、このコンデンサ本体（20）は、従来からある、片面蒸着フィルムを用いたフィルムコンデンサ用の製造装置（捲回機）を利用して製造することも可能である。
【００４７】
《その他の実施形態》
〈１〉なお、第２電極（22b）の並び方向の長さ（W2）は、互いに隣り合った第１電極（21b）の間隔をＤ１、前記第１電極（21b）の並び方向の長さをＷ１とした場合に、（２×Ｄ１＋Ｗ１）よりも小さい値（例えばＷ２＝Ｗ１）が望ましい。
【００４８】
第１及び第２電極（21b,22b）をこのような寸法関係とすることで、各第２電極（22b）は、図６に示すように、２つ以上の第１電極（21b）に重なることはない。すなわち、１箇所の短絡によって機能を失う第１電極（21b）の数を２つ以下にすることが可能になる。
【００４９】
〈２〉また、ヒューズ（21e）は何れのフィルム側に設けてもよい。
【産業上の利用可能性】
【００５０】
本発明は、金属膜を有したフィルムを用いたフィルムコンデンサとして有用である。
【符号の説明】
【００５１】
１０      フィルムコンデンサ  
１１      メタリコン電極
２１      第１金属化フィルム
２１ｂ    第１電極
２１ｅ    ヒューズ
２２      第２金属化フィルム
２２ｂ    第２電極
２３      金属膜
【図１】
2011003836.tif 000003
【図２】
2011003836.tif 000004
【図３】
2011003836.tif 000005
【図４】
2011003836.tif 000006
【図５】
2011003836.tif 000007
【図６】
2011003836.tif 000008